(57)【要約】【課題】被計量構造物の浮き上がり防止を容易に行なえるようにする。【解決手段】基礎２に取り付けられる下側取付板１と、この下側取付板１と平行な位置関係でホッパ４１に取り付けられる上側取付板５とを有し、この下側取付板１と上側取付板５との間にロードセル１８を介在させて前記ホッパ４１を支持する構造物の計量用支持構造体において、下側取付板１と上側取付板５との間に介在される浮き上がり防止手段２０は下側取付板１に下端の雄ネジ部が螺入されて下側取付板１に立設された棒状部材２４と、上側取付板５に上端の雄ネジ部が螺入されて上側取付板５から垂下して設けられた棒状部材２８と、上下の棒状部材２４，２８を繋ぐべく下側の棒状部材２４の上端の頭部が上下動自在に下端と係合し上側の棒状部材２８の下端の頭部が上下動自在に上端と係合する中間部材２９とから構成されている。【選択図】    図２
0003102906.tif 000002
【実用新案登録請求の範囲】
【請求項１】
基礎に取り付けられる下側取付板と、この下側取付板と平行な位置関係で被計量構造物に取り付けられる上側取付板とを有し、この下側取付板と上側取付板との間にロードセルを介在させて前記構造物を支持する構造物の計量用支持構造体において、一端で前記下側取付板に対して回動可能に連結され、他端で前記上側取付板に対して回動可能に連結され、且つこれら両端間の距離が可変である連結手段と、下側取付板と上側取付板との間に介在される浮き上がり防止手段とを有し、この浮き上がり防止手段は前記下側取付板に形成された雌ネジ部に下端の雄ネジ部が螺入されて下側取付板に立設された棒状部材と、前記上側取付板に形成された雌ネジ部に上端の雄ネジ部が螺入されて上側取付板から垂下して設けられた棒状部材と、これら上下の棒状部材を繋ぐべく下側の棒状部材の上端の頭部が上下動自在に下端と係合し上側の棒状部材の下端の頭部が上下動自在に上端と係合する中間部材とから構成されていることを特徴とする構造物の計量用支持構造体。
【考案の詳細な説明】
【技術分野】
【０００１】
本考案は、例えば貯留タンク、ホッパまたは台秤などの被計量構造物をロードセルを介して支持する構造物の計量用支持構造体に関するものである。
【背景技術】
【０００２】
従来、例えばセメントなどの粉粒体の重量を計測する場合、通常、計量すべき粉粒体をロードセルを介して支持された計量ホッパに投入し、これらロードセルの出力に基づいて計量を行なう。
【０００３】
上記ホッパのような被計量構造物をロードセルを介して支持する支持構造体としては、例えば特許文献１で開示されているような、「基礎に取り付けられる第１の取付板と、この第１の取付板と平行な位置関係で被計量構造物に取り付けられる第２の取付板とを有し、これら第１および第２の取付板の間にロードセルを介在させて上記構造物を支持する構造物の計量用支持構造体において、一端で前記第１の取付板に対して回動可能に連結され、他端で前記第２の取付板に対して回動可能に連結され、且つこれら両端間の距離が可変である連結手段と、前記第１の取付板から垂直に延びる部材と、この部材の先端部に設けられる係止手段とを有する浮き上がり防止手段と、を有し、前記浮き上がり防止手段の部材の先端部を前記係止手段により前記被計量構造物の一部に係止させ、前記連結手段は、前記第１の取付板に設けられた第１のブラケットに該取付板と平行な第１の軸により軸支された第１のリンク部材と、前記第２の取付板に設けられた第２のブラケットに前記第１の軸と平行な第２の軸により軸支された第２のリンク部材と、これら両リンク部材を連結する可変長連結部材を有しており、さらに前記浮き上がり防止手段における前記部材は基端部が前記第１の取付板に固定され先端部にネジ山が形成された棒状部材であり、前記係止手段はこの棒状部材の前記ネジ溝に螺着されるナットを有し、前記棒状部材を前記被計量構造物の一部に設けた貫通孔に挿通させる」ものが知られている。
【特許文献１】実公平８−４５７６号公報
【考案の開示】
【考案が解決しようとする課題】
【０００４】
しかしながら、この特許文献１に記載の構造物の計量用支持構造体における、被計量構造物の浮き上がりを防止するための浮き上がり防止手段は、基端部が第１の取付板に固定され先端部にネジ山が形成された棒状部材を被計量構造物の一部に設けた貫通孔に挿通させた状態で棒状部材のネジ溝にナットを螺着させて締め付ける作業が必要であり、被計量構造物に棒状部材のネジ山が形成された先端部を挿通させる貫通孔が無い場合は被計量構造物に貫通孔を形成しなければならず、作業効率が悪いという問題があった。
【０００５】
本考案の目的は、このような課題を解決するものであり、被計量構造物に棒状部材のネジ山が形成された先端部を挿通させる貫通孔を形成するような作業を不要とし、被計量構造物の浮き上がり防止を行なえるようにした取り付け作業性に優れた構造物の計量用支持構造体を提供することにある。
【課題を解決するための手段】
【０００６】
本考案の請求項１に記載の構造物の計量用支持構造体は、基礎に取り付けられる下側取付板と、この下側取付板と平行な位置関係で被計量構造物に取り付けられる上側取付板とを有し、この下側取付板と上側取付板との間にロードセルを介在させて前記構造物を支持する構造物の計量用支持構造体において、一端で前記下側取付板に対して回動可能に連結され、他端で前記上側取付板に対して回動可能に連結され、且つこれら両端間の距離が可変である連結手段と、下側取付板と上側取付板との間に介在される浮き上がり防止手段とを有し、この浮き上がり防止手段は前記下側取付板に形成された雌ネジ部に下端の雄ネジ部が螺入されて下側取付板に立設された棒状部材と、前記上側取付板に形成された雌ネジ部に上端の雄ネジ部が螺入されて上側取付板から垂下して設けられた棒状部材と、これら上下の棒状部材を繋ぐべく下側の棒状部材の上端の頭部が上下動自在に下端と係合し上側の棒状部材の下端の頭部が上下動自在に上端と係合する中間部材とから構成されていることを特徴とする。
【考案の効果】
【０００７】
以上のように、本考案の構造物の計量用支持構造体は、計量用支持構造体の下側取付板と上側取付板との間に浮き上がり防止手段が組み込まれており、浮き上がり防止手段を被計量構造物側と連結するような作業が不要となり、取り付け作業性に優れた構造物の計量用支持構造体を提供することができる。
【考案を実施するための最良の形態】
【０００８】
以下、本考案の実施の形態を、図面に基づいて説明する。
先ず、図１〜図５に示す第１の実施の形態について説明すると、１は基礎２の水平面上にボルト３およびナット４により取り付けられる金属製の下側取付板で、この下側取付板１の上側には下側取付板１と平行な位置関係で被計量構造物としてのホッパ４１を受けて取り付ける金属製の上側取付板５が位置している。そして、下側取付板１と上側取付板５との間には、下側取付板１の上面から立設された金属製のブラケット６を上端から挟むように溶接により取り付けられた２枚の金属製の取り付け板７，７と前記上側取付板５の下面から垂下された金属製のブラケット８を下端から挟むように溶接により取り付けられた２枚の金属製の取り付け板９，９との間に位置し両端が前記取り付け板７，７間および取り付け板９，９間に水平な枢支軸１０および１１により回動可能に連結され両端間の距離が可変である連結金具１２が介在されている。前記連結金具１２は前記取り付け板７，７間に枢支軸１０により一端が連結された第１のリンク部材１３と、前記取り付け板９，９間に枢支軸１１により連結された一端が第２のリンク部材１４と、これら両リンク部材１３，１４の他端側に形成された互いに逆向きの雄ネジ部を両端から螺入させるべく両端部に互いに逆向きの雌ネジ部が形成された筒状連結部材１５と、この筒状連結部材１５の雌ネジ部に雄ネジ部が螺入された両リンク部材１３，１４と筒状連結部材１５との間の弛み止めを行なうべく筒状連結部材１５から突出する両リンク部材１３，１４の雄ネジ部に螺嵌する弛み止め用ナット１６，１７とから構成されている。ところで、前記下側取付板１に立設されたブラケット６は下側取付板１の一側部側で下側取付板１の前端部に近接して位置し、前記上側取付板５に垂下されたブラケット８は上側取付板５の他側部側で上側取付板５の前端部に近接して位置している。１８は前記下側取付板１と上側取付板５との間で前記連結金具１２の取り付け位置よりも内方に寄った位置で下側取付板１および上側取付板５の中心よりもやや他側部側に寄った位置で上下方向に取り付けられた計量用手段としてのロードセルであり、このロードセル１８の下端は下側取付板１上に載せられ、またロードセル１８の上端の円錐状頭部１８ａの頂部は前記上側取付板５の下面の凹部５ａ内に嵌入された金属円盤１９の下面中央部の窪み（図示せず）に当接するようにしてセットされる。さらに、２０は前記下側取付板１と上側取付板５との間で前記連結金具１２の取り付け位置よりも内方に寄った位置で下側取付板１および上側取付板５の一側部位置で上下方向に取り付けられた浮き上がり防止手段である。この浮き上がり防止手段２０について詳細に述べると、浮き上がり防止手段２０は前記下側取付板１に形成された雌ネジ部２１に下端の雄ネジ部２２が螺入され、下側取付板１から上方に突出する雄ネジ部２２に弛み止め用ナット２３が螺嵌することにより下側取付板１に立設された金属製の棒状部材２４と、前記上側取付板５に形成された雌ネジ部２５に上端の雄ネジ部２６が螺入され、上側取付板５から下方に突出する雄ネジ部２６に弛み止め用ナット２７が螺嵌することにより上側取付板５から垂下して設けられた金属製の棒状部材２８と、これら棒状部材２４と棒状部材２８とを繋ぐべく棒状部材２４の上端の頭部２４ａが上下動自在に下端と係合し棒状部材２８の下端の頭部２８ａが上下動自在に上端と係合する金属製の筒状の中間部材２９とから構成されている。なお、棒状部材２４および２８を下側取付板１および上側取付板５に螺入させる前にそれぞれの頭部２４ａおよび２８ａは筒状の中間部材２９の内部に位置して棒状部材２４および２８を筒状の中間部材２９の下端および上端の受座３０および３１の孔部３０ａおよび３１ａに貫通させてある。そして、前記下側取付板１および上側取付板５が互いに平行な状態となるように前記下側取付板１の雌ネジ部２１に対する棒状部材２４の下端の雄ネジ部２２のネジ込み量および上側取付板５の雌ネジ部２５に対する棒状部材２８の上端の雄ネジ部２６のネジ込み量が決められる。
【０００９】
図４および図５に上記構成の構造物の計量用支持構造体の使用例を示し、同図において被計量構造物としてのホッパ４１を所定位置に取り付ける前に、ホッパ４１の周囲４箇所に相当する箇所においてそれぞれ計量用支持構造体の前記下側取付板１を基礎２上にボルト３により取り付ける。つまり、ホッパ４１を周囲４箇所の計量用支持構造体で受けるようにする。前記下側取付板１と上側取付板５との間にロードセル１８を組み込んだ状態で、ホッパ４１を４つの計量用支持構造体の上に載せる。詳しくは、ホッパ４１の周囲４箇所に一体的に設けた支持金具３２を上側取付板５上に載せ、支持金具３２を上側取付板５に対しボルト３３およびナット３４で固定する。なお、前記ホッパ４１を受ける４つの計量用支持構造体はそれぞれを正面から見て前記各部材が同じ位置関係となるよう基礎２上に取り付けられている。
【００１０】
上記のように基礎２上に４つの計量用支持構造体を介してホッパ４１を支持した状態において、地震などにより水平方向に不測の揺れが生じたときは前記下側取付板１と上側取付板５とを水平に繋ぐ前記連結金具１２によりホッパ４１の揺れが緩和され、また地震などにより縦方向に不測の揺れが生じたときは前記下側取付板１と上側取付板５とを上下方向に繋ぐ前記浮き上がり防止手段２０によりホッパ４１の揺れが緩和され、ホッパ４１が浮き上がって倒れるのを防止することができる。つまり、直下型地震が発生したとき、前記浮き上がり防止手段２０が設けられていないと、ホッパ４１はロードセル１８によってのみ支えられているため、４箇所の計量用支持構造体の内、何れかのロードセル１８を支点に上側取付板５と一体に浮き上がって倒れることがあるが、上記のように下側取付板１および上側取付板５の一側部位置で下側取付板１と上側取付板５との間を拘束する浮き上がり防止手段２０を設けておくことによって、縦方向に不測の揺れが生じてもホッパ４１が浮き上がって倒れるのを防止することができる。
【００１１】
以上、本考案の第１の実施の形態について説明したが、前記浮き上がり防止手段２０を２つ以上並べて設けるようにしても良い。また、第１の実施の形態で述べた浮き上がり防止手段２０を２つ設ける場合、筒状の中間部材２９が２つ並ぶことになるが、図６〜図８に示す第２の実施の形態のように共通の中間部材３５を用いることも可能である。第２の実施の形態の中間部材３５はＩ型鋼を用い、このＩ型鋼の上下方向に向く板部３６に対して直角な側部を覆うべくＩ型鋼の上下の水平な金属製の板部３７，３８間を繋ぐ上下方向に向く金属製の板部３９，４０を溶接にて結合させて構成され、下側の板部３８の孔部３８ａに上端の頭部２４ａが上下動自在に係合するように下側の２本の棒状部材２４を貫通させ、上側の板部３７の孔部３７ａに下端の頭部２８ａが上下動自在に係合するように上側の２本の棒状部材２８を貫通させている。他の構成は前記第１の実施の形態と同様である。
【図面の簡単な説明】
【００１２】
【図１】本考案の第１の実施の形態における計量用支持構造体の斜視図である。
【図２】同計量用支持構造体の側面図である。
【図３】同計量用支持構造体の要部断面図である。
【図４】同計量用支持構造体で被計量構造物としてのホッパを受けた状態を示す平面図である。
【図５】同計量用支持構造体で被計量構造物としてのホッパを受けた状態を示す正面図である。
【図６】本考案の第２の実施の形態における計量用支持構造体の斜視図である。
【図７】同計量用支持構造体の側面図である。
【図８】同計量用支持構造体の要部断面図である。
【符号の説明】
【００１３】
１                下側取付板
２                基礎
３                ボルト
４                ナット
５                上側取付板
１２                連結金具
１３                第１のリンク部材
１４                第２のリンク部材
１５                筒状連結部材
１８                ロードセル
２０                浮き上がり防止手段
２１                雌ネジ部
２２                雄ネジ部
２３                弛み止め用ナット
２４                棒状部材
２４ａ              頭部
２５                雌ネジ部
２６                雄ネジ部
２７                弛み止め用ナット
２８                棒状部材
２８ａ              頭部
２９                中間部材
３０，３１          受座
３０ａ，３１ａ      孔部
３２                支持金具
３３                ボルト
３４                ナット
３５                中間部材
３６，３７，３８    板部
３７ａ，３８ａ      孔部
３９，４０          板部
４１                ホッパ
【図１】
0003102906.tif 000003
【図２】
0003102906.tif 000004
【図３】
0003102906.tif 000005
【図４】
0003102906.tif 000006
【図５】
0003102906.tif 000007
【図６】
0003102906.tif 000008
【図７】
0003102906.tif 000009
【図８】
0003102906.tif 000010